(57)【特許請求の範囲】
【請求項１】
長尺状のピン本体と、このピン本体を把持可能にする把持部とを有する検尺用ピンにおいて、
前記ピン本体が測定対象物に置かれたときに、ピン本体が転がらないようにすべく、ピン本体の断面が非円形に構成され、
前記ピン本体は、その断面が半円形状に構成されるとともに、円弧状の湾曲面と、直線状の平坦面とを有し、
前記ピン本体の半円形状の断面における平坦面が測定対象物に接触する接触面として構成され、
前記把持部は、その断面が半円形状に構成されるとともに、円弧状の湾曲面と、直線状の平坦面とを有し、
前記ピン本体の湾曲面は、把持部の湾曲面と面一かつ連続的に形成され、
前記ピン本体の接触面は、把持部の平坦面と面一かつ連続的に形成されてなることを特徴とする検尺用ピン。
【請求項２】
請求項１に記載の検尺用ピンに取り付けられる固定具であって、
前記検尺用ピンのピン本体の中途部に取り付けられる固定具本体と、固定具本体を測定対象物に固定する固定手段とを有し、
前記固定具本体は、第１構成体と、第２構成体と、第１構成体と第２構成体との相対回動を許容するヒンジ手段と、第１構成体と第２構成体とが回動しないように連結する連結手段と、を備え、
前記第１構成体は、中途部が円弧状の板部材として構成され、
前記第２構成体は、直線状の板部材として構成され、
前記固定具本体は、第１構成体と第２構成体との間にピン本体の中途部が入れられ、連結手段によって第１構成体と第２構成体とが連結されることによってピン本体に取り付けられるように構成されることを特徴とする固定具。
【請求項３】
前記固定手段は、永久磁石である請求項２に記載の固定具。
【請求項４】
長尺状のピン本体を有する検尺用ピンにおいて、
前記ピン本体が測定対象物に置かれたときに、ピン本体が転がらないようにすべく、ピン本体の断面が非円形に構成され、
前記ピン本体は、筒状部材を半割にした半割形状に構成されることにより、測定対象物に接触する２つの接触部を備えてなることを特徴とする検尺用ピン。
【請求項５】
長尺状のピン本体を有する検尺用ピンにおいて、
前記ピン本体が測定対象物に置かれたときに、ピン本体が転がらないようにすべく、ピン本体の断面が非円形に構成され、
前記ピン本体は、中心角が１８０°より大きな断面視扇形状に構成されることにより、測定対象物に接触する２つの接触部を備えてなることを特徴とする検尺用ピン。
【発明の詳細な説明】
【技術分野】
【０００１】
本発明は、例えば、施工現場の検尺のために用いられる検尺用ピン及びこの検尺用ピンを固定するための固定具に関する。
【背景技術】
【０００２】
従来、例えば、建設工事現場において、工事に用いられる資材の形状や工事の状況等を記録するために写真撮影を行うが、この場合に、いわゆるピンポールやトラバーピンが検尺用として用いられる場合がある。
【０００３】
この検尺用ピンは、その中途部が断面円形状（円柱状）に構成されるとともに、例えばその一端部が尖端状とされて地面等に刺すことができ、その他端部に把持部が設けられて、これを利用して持ち運ぶことができるようになっている（例えば特許文献１参照）。
【０００４】
例えば、巻尺や標尺等の測定器具を用いて測定対象物の寸法等を測定して撮影する際には、この検尺用ピンを測定対象物上に置くとともに、その先端を巻尺と重ねることで、測定対象物のどこからどこまでを測定するのかが明確になった状態で撮影できる。
【先行技術文献】
【特許文献】
【０００５】
【特許文献１】実用新案登録第２５７０８６０号公報
【発明の概要】
【発明が解決しようとする課題】
【０００６】
しかしながら、従来の検尺用ピンは、その中途部の断面が円形に形成されていたため、測定対象物の上に置かれたときに、転がってしまうおそれがあった。このため、測定及び撮影の際には、この検尺用ピンが転がらないように押さえておかなければならず、作業が煩雑であった。
【０００７】
本発明はこのような事情に鑑みてなされたものであり、測定対象物の測定や撮影に際して、不測に動くことのないように位置決めをすることが可能な検尺用ピンを提供することを課題とする。
【０００８】
また、本発明は、測定対象物の測定や撮影に際して、検尺用ピンが不測に動くことがないように固定する固定具を提供することを課題とする。
【課題を解決するための手段】
【０００９】
本発明は上記の課題を解決するためのものであって、長尺状のピン本体と、このピン本体を把持可能にする把持部とを有する検尺用ピンにおいて、前記ピン本体が測定対象物に置かれたときに、ピン本体が転がらないようにすべく、ピン本体の断面が非円形に構成され、前記ピン本体は、その断面が半円形状に構成されるとともに、円弧状の湾曲面と、直線状の平坦面とを有し、前記ピン本体の半円形状の断面における平坦面が測定対象物に接触する接触面として構成され、前記把持部は、その断面が半円形状に構成されるとともに、円弧状の湾曲面と、直線状の平坦面とを有し、前記ピン本体の湾曲面は、把持部の湾曲面と面一かつ連続的に形成され、前記ピン本体の接触面は、把持部の平坦面と面一かつ連続的に形成されてなることを特徴とする。
【００１０】
かかる構成によれば、ピン本体の断面を非円形とすることによって、このピン本体は、測定対象物上に置かれたときに、転がり難くなり、これによって検尺用ピンは、測定及び撮影時に不測に動くことがなく所望の位置に位置決めされることとなる。
【００１１】
また、本発明は、上記の検尺用ピンに取り付けられる固定具であって、前記検尺用ピンのピン本体の中途部に取り付けられる固定具本体と、固定具本体を測定対象物に固定する固定手段とを有し、前記固定具本体は、第１構成体と、第２構成体と、第１構成体と第２構成体との相対回動を許容するヒンジ手段と、第１構成体と第２構成体とが回動しないように連結する連結手段と、を備え、前記第１構成体は、中途部が円弧状の板部材として構成され、前記第２構成体は、直線状の板部材として構成され、前記固定具本体は、第１構成体と第２構成体との間にピン本体の中途部が入れられ、連結手段によって第１構成体と第２構成体とが連結されることによってピン本体に取り付けられるように構成されることを特徴とする。
【００１２】
かかる構成によれば、検尺用ピンに固定具を取り付けるとともに、固定手段を介して固定具を測定対象物に固定することで、検尺用ピンを、不測に動くことなく所定位置に位置決めできるようになる。
【００１３】
また、本発明に係る固定具によれば、前記固定手段は、永久磁石であることが望ましい。
【００１４】
また、本発明によれば、長尺状のピン本体を有する検尺用ピンにおいて、前記ピン本体が測定対象物に置かれたときに、ピン本体が転がらないようにすべく、ピン本体の断面が非円形に構成され、前記ピン本体は、筒状部材を半割にした半割形状に構成されることにより、測定対象物に接触する２つの接触部を備えてなることを特徴とする。
【００１５】
また、本発明によれば、長尺状のピン本体を有する検尺用ピンにおいて、前記ピン本体が測定対象物に置かれたときに、ピン本体が転がらないようにすべく、ピン本体の断面が非円形に構成され、前記ピン本体は、中心角が１８０°より大きな断面視扇形状に構成されることにより、測定対象物に接触する２つの接触部を備えてなることを特徴とする。
【発明の効果】
【００１７】
本発明によれば、測定対象物の測定に際して、検尺用ピンを不測に動くことのないように位置決めすることができる。
【図面の簡単な説明】
【００１８】
【図１】検尺用ピンの一実施形態を示す側面図である。
【図２】図１のＡ−Ａ矢視線断面図である。
【図３】固定具の一実施形態を示す平面図である。
【図４】ピン本体の他の例を示す断面図である。
【図５】検尺用ピンの他の例を示す側面図である。
【発明を実施するための形態】
【００１９】
以下、本発明を実施するための形態を、図面に基づき説明する。
【００２０】
図１、図２は、本発明に係る検尺用ピンの一実施形態を示す。検尺用ピン１は、例えば、測定対象物Ｘ上に置かれて、巻尺等の測定機器とともに、測定対象物Ｘの測定及び撮影を行うためのものである。ここで、測定対象物Ｘについては、建築資材や施工後の建物の一部及び工事現場の状況等、種々のものが対象となる。
【００２１】
検尺用ピン１は、例えば金属製のピン本体２を有する。ピン本体２の中途部は、２色に色分けされた縞模様に着色されている。ピン本体２は、その一端部が尖端状とされていて地面に突き刺すことができる。また、ピン本体２の他端部には、ピン本体２を把持することを可能にする把持部３が設けられている。把持部３は、ピン本体２の一端部を円形状に曲げることにより形成されている。
【００２２】
図２に示すように、ピン本体２は、その中途部の断面が非円形状に構成されている。具体的には、ピン本体２の中途部の断面は、半円形状に構成されている。さらに具体的には、ピン本体２は、断面視において円弧状の湾曲面４と、直線状の平坦面５とを有する。
【００２３】
この構成により、ピン本体２には、測定対象物Ｘに接触可能な接触部６が形成される。この接触部６は、ピン本体２が測定対象物Ｘに置かれたときに、ピン本体２が転がることなく所望の位置に位置決めできるようにするためのものである。
【００２４】
具体的には、本実施形態における接触部６は、測定対象物Ｘに接触可能な接触面を有する。この接触面は、ピン本体２の平坦面５の部分である。
【００２５】
なお、把持部３は、その断面がピン本体２の中途部の断面と同一な半円状に構成されている（図示せず）。より具体的には、把持部３は、その断面が、ピン本体２の中途部の断面と同様に所定の曲率半径による円弧状の湾曲面と、断面視直線状の平坦面とを有する。把持部３の湾曲面は、ピン本体２の湾曲面４と面一に、連続的に形成される。また、把持部３の平坦面は、ピン本体２の平坦面５と面一に、連続的に形成される。
【００２６】
この検尺用ピン１は、例えば、断面が半円形の金属線又は金属の棒状体の端部を環状の曲げるとともに、その表面を樹脂等によってコーティングするか、又はその表面を着色等することによって製造される。
【００２７】
このように製造することで、ピン本体２の中途部の平坦面５（接触面）の部分と、把持部３の平坦面との部分が面一に連続して形成されることとなる。換言すれば、環状に構成される把持部３が成す面（把持部３の平坦面）とは、平行又はほぼ平行に構成されている。
【００２８】
以上説明した本実施形態に係る検尺用ピン１によれば、ピン本体２の中途部を断面視非円形に構成し、このピン本体２に測定対象物Ｘに接触する接触部６としての接触面を設けることによって、検尺用ピン１が測定対象物Ｘが置かれたときに、ピン本体２が測定対象物Ｘ上を転がることがなくなる。これにより、検尺用ピン１は、測定対象物Ｘ上に置かれたときに、不測に動くことなく所望の位置に位置決めされることとなる。
【００２９】
また、把持部３が成す面とピン本体２の接触面（平坦面５）とが平行またはほぼ平行に形成することによって、接触面が測定対象物Ｘに接触した状態で、把持部３が地面に接触することがなくなる。
【００３０】
この点について、把持部３が成す面と、ピン本体２の接触面とが平行とされていない場合、すなわち、例えば、環状の把持部３が成す面と接触面とが９０°ずれている場合（把持部３が成す面と接触面とが平面視において直交するような場合）を考える。
【００３１】
この場合において、測定対象物Ｘの大きさ（厚さ）が小さいときに、この測定対象物Ｘにピン本体２を置くと、測定対象物Ｘから逸れた把持部３が地面に接触して、ピン本体２が浮いた状態となり、接触部６が測定対象物Ｘに接触できなくなるおそれがある。これに対し、把持部３が成す面とピン本体２の接触面（平坦面５）とが平行またはほぼ平行であれば、接触面が測定対象物Ｘに接触した状態で、把持部３が地面に接触することがなく、この点において有用である。
【００３２】
本実施形態に係る検尺用ピン１は、このような利点を有するが、ピン本体２に接触部６が形成されていれば、所望の機能を発揮可能であり、把持部３が成す面とピン本体２の接触面とが平行とされていないものについても、大きな測定対象物Ｘには使用可能であることから、本発明に含まれるものである。
【００３３】
図３は、本発明に係る固定具の一実施形態を示す。固定具１１は、例えば、図１、図２で示した検尺用ピン１に取り付けられる。固定具１１は、検尺用ピン１のピン本体２の中途部に取り付けられる固定具本体１２と、この固定具本体１２を測定対象物Ｘに固定する固定手段１３とを有する。
【００３４】
固定具本体１２は、第１構成体１４、第２構成体１５、第１構成体１４と第２構成体１５との相対回動を許容するヒンジ手段１６、及び、第１構成体１４と第２構成体１５とが回動しないように連結する連結手段１７、を有する。
【００３５】
第１構成体１４は、平面視においてその中途部が円弧状に構成される板部材であり、その一端部がヒンジ手段１６を介して第２構成体１５と連結されている。また、第１構成体１４の他端部は、連結手段１７を介して第２構成体１５と連結可能に構成されている。この第１構成体１４の他端部には、連結手段１７によって第２構成体１５と連結される連結部（以下「第１連結部」という）が設けられている。この第１連結部１９は、第１構成体１４の円弧状の部分からほぼ直交する方向（法線方向）に突出する板状の突起部となっている。この第１連結部１９には、その板厚方向に関する貫通孔１９ａが形成されている。
【００３６】
第２構成体１５は、平面視において直線状の板部材であり、その一端部がヒンジ手段１６を介して第１構成体１４と連結されている。第２構成体１５の他端部は、連結手段１７を介して第１構成体１４と連結可能に構成されている。この第２構成体１５の他端部には、連結手段１７によって第１構成体１４の第１連結部１９と連結される連結部（以下「第２連結部」という）が形成されている。
【００３７】
この第２連結部２０は、第１構成体１４の第１連結部１９と対向するように板状に形成されている。この第２連結部２０には、その板厚方向に貫通する貫通孔２０ａが形成されている。この貫通孔２０ａは、第１連結部１９と第２連結部２０とを対向するように位置づけた状態において、第１連結部１９の貫通孔１９ａと一致するように第２連結部２０の所定位置に形成されている。
【００３８】
本実施形態における連結手段１７には、ボルト１７ａ、ナット１７ｂが採用されている。連結手段１７は、第１連結部１９の貫通孔１９ａと、第２連結部２０の貫通孔２０ａとを一致させた状態で、ボルト１７ａの軸部を各貫通孔１９ａ，２０ａに挿通してその端部を一方の貫通孔から突出させ、この突出した軸部の端部にナット１７ｂを嵌めて締め付けることで、第１連結部１９と第２連結部２０とを連結することができる。
【００３９】
固定具本体１２は、第１構成体１４と第２構成体１５との間にピン本体２の中途部を入れるとともに、連結手段１７によって第１連結部１９と第２連結部２０とを連結することによって、ピン本体２に取り付けられる。
【００４０】
固定手段１３は、固定具本体１２の第２構成体１５に設けられている。本実施形態における固定手段１３には、永久磁石が用いられる。固定手段１３としての永久磁石は、第２連結部２０の外面１５ａに固定されている。
【００４１】
この固定具１１によれば、測定対象物Ｘが磁性体である場合に、この固定具１１の固定手段１３によって固定具１１をこの測定対象物Ｘに磁着させることにより、固定具１１が取り付けられた検尺用ピン１を測定対象物Ｘに対して不測に動くことのないように固定（位置決め）できる。また、このような固定具１１によれば、測定対象物Ｘに検尺用ピン１を置く場合に限らず、例えば、測定対象物Ｘが、傾斜した壁面である場合に、検尺用ピン１を動かないように固定することができ、非常に便利である。
【００４２】
図４は、検尺用ピン１の他の例を示す。図４（ａ）に示すように、検尺用ピン１は、筒部材を半割にした半割形状（非円形）に構成されていてもよい。具体的には、この例に係る検尺用ピン１のピン本体２は、その中途部の断面が円弧状に形成された板形状とされている。この形状により、ピン本体２には、測定対象物Ｘに接触可能な２つの接触部６，６が形成される。この例に係る検尺用ピン１は、ピン本体２の２つの接触部６，６が測定対象物Ｘに接触することで、この測定対象物Ｘ上に置かれたときに転がらないように位置決めされる。
【００４３】
また、図４（ｂ）に示すように、検尺用ピン１は、中心角が１８０°より大きな断面視扇形（非円形）に構成されていてもよい。このような形状により、ピン本体２には、測定対象物Ｘに接触可能な２つの接触部６，６が形成される。この例に係る検尺用ピン１は、ピン本体２の２つの接触部６，６が測定対象物Ｘに接触することで、この測定対象物Ｘ上に置かれたときに転がらないように位置決めされる。
【００４４】
図５は、検尺用ピン１の他の例を示す。図５に示すように、把持部３は、中央部に貫通孔が形成された板状に構成される。この場合においても、例えば、第１実施形態と同様に、ピン本体２の接触面と把持部３が成す面とが平行又はほぼ平行に構成されることが望ましい。
【００４５】
なお、本発明は上記の実施形態に限らず、種々の変更・変形が可能である。
【００４６】
例えば、上記の実施形態では、ピン本体２に把持部３が設けられている検尺用ピン１を例示したが、ピン本体２に把持部３が設けられていないものにも本発明を適用できる。
【００４７】
上記実施形態では、金属線を曲げることによってピン本体２に把持部３を形成した例を示したが、これに限らず、ピン本体２と把持部３とを鋳造その他の製法によって製造することも可能である。
【００４９】
上記の実施形態では、固定具１１の固定手段１３として永久磁石を用いた例を示したが、これに限らず、吸盤、フック、針、接着テープ等のような、測定対象物Ｘと係合してピン本体２を固定可能な種々のものを固定手段１３として採用できる。
【００５０】
上記の実施形態では、固定具本体１２の連結手段１７として、ボルト１７ａ・ナット１７ｂを例示したが、これに限らず、例えばフックとこのフックを掛止する掛止部、面ファスナー、クランプその他の種々の連結手段１７を本発明に適用できる。
【００５１】
上記の実施形態では、図４において、ピン本体２に２つの接触部６，６が形成された例を示したが、これに限らず、ピン本体２に３つ以上の複数の接触部６，６，…を形成してもよい。
【符号の説明】
【００５２】
１…検尺用ピン、２…ピン本体、３…把持部、４…湾曲面、５…平坦面、６…接触部、１１…固定具、１２…固定具本体、１３…固定手段、１４…第１構成体、１５…第２構成体、１５ａ…第２構成体の外面、１６…ヒンジ手段、１７…連結手段、１７ａ…ボルト、１７ｂ…ナット、１９…第１連結部、１９ａ…第１連結部の貫通孔、２０…第２連結部、２０ａ…第２連結部の貫通孔、Ｘ…測定対象物
【図１】
0005523754.tif 000002
【図２】
0005523754.tif 000003
【図３】
0005523754.tif 000004
【図４】
0005523754.tif 000005
【図５】
0005523754.tif 000006